【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
デジタル通信信号を受信し、前記通信信号に含まれるＰＣＲデータに基づきクロック信号を生成する機能を備えるとともに、前記通信信号を含み、複数のパケットで構成されるストリーム信号およびクロック信号を送出する機能を備えるデジタル信号受信装置と、
インターフェース部を介して前記デジタル信号受信装置からの前記ストリーム信号およびクロック信号を受信するホスト装置と、
により構成されるデジタル信号受信システムであって、
前記デジタル信号受信装置は、
前記クロック信号のクロック数をカウントし、カウントした値を受信側ＳＴＣデータとして出力する受信側ＳＴＣカウンタと、
前記受信側ＳＴＣデータと前記ＰＣＲデータとの差分値を誤差データとし、前記誤差データに基づき、所定値以上の周波数の変動を検出する変動検出部と、
前記受信側ＳＴＣデータと前記ＰＣＲデータとに基づく変動情報データを前記ホスト装置に送出するとともに、前記変動検出部において、前記所定値以上の周波数の変動が検出されると、前記受信側ＳＴＣカウンタに前記ＰＣＲデータを設定する変動処理部と、
を備え、
前記ホスト装置は、
前記デジタル信号受信装置から受け取った前記クロック信号のクロック数をカウントし、カウントした値をホスト側ＳＴＣデータとして出力するホスト側ＳＴＣカウンタと、
前記変動検出部において、前記所定値以上の周波数の変動が検出されると、前記ホスト側ＳＴＣデータと前記変動情報データとに基づき演算した値を補正データとし、前記ホスト側ＳＴＣカウンタに前記補正データを設定することにより、受信側ＳＴＣカウンタとホスト側ＳＴＣカウンタの値を一致させるＳＴＣ補正部と、
を備えるデジタル信号受信システム。
【請求項２】
デジタル通信信号を受信し、前記通信信号に含まれるＰＣＲデータに基づきクロック信号を生成する機能を備えるとともに、前記通信信号を含み、複数のパケットで構成されるストリーム信号およびクロック信号を送出する機能を備えるデジタル信号受信装置であって、インターフェース部を介して前記デジタル信号受信装置からの前記ストリーム信号およびクロック信号を受信するホスト装置に接続されることによりデジタル信号受信システムを構成可能なデジタル信号受信装置であって、
前記デジタル信号受信装置は、
前記クロック信号のクロック数をカウントし、カウントした値を受信側ＳＴＣデータとして出力する受信側ＳＴＣカウンタと、
前記受信側ＳＴＣデータと前記ＰＣＲデータとの差分値を誤差データとし、前記誤差データに基づき、所定値以上の周波数の変動を検出する変動検出部と、
前記受信側ＳＴＣデータと前記ＰＣＲデータとに基づく変動情報データを前記ホスト装置に送出するとともに、前記変動検出部において、前記所定値以上の周波数の変動が検出されると、前記受信側ＳＴＣカウンタに前記ＰＣＲデータを設定する変動処理部と、
を備えるデジタル信号受信装置。
【請求項３】
前記変動情報データは、前記インターフェース部から送出される前記ストリーム信号に挿入されて送出される請求項２に記載のデジタル信号受信装置。
【請求項４】
前記変動検出部は、前記誤差データに基づき、前記クロック信号の前記周波数の変動を検出する請求項３記載のデジタル信号受信装置。
【請求項５】
前記変動情報データが有効か無効かを示すフラグを設定するとともに、前記フラグおよび前記前記変動情報データを含む付加情報を前記ストリーム信号に挿入させる付加情報追加部をさらに備える請求項４記載のデジタル信号受信装置。
【請求項６】
前記ホスト装置から、前記デジタル信号受信装置の各処理を制御するためのコマンドデータを受け取るコマンド受信部と、前記ホスト装置に、前記デジタル信号受信装置からの情報を通知する通知処理部とをさらに備える請求項５記載のデジタル信号受信装置。
【請求項７】
前記受信側ＳＴＣカウンタを所定の初期状態にリセットするとともに、前記ホスト装置にリセットしたことを通知するリセット信号を出力するリセット処理部をさらに備える請求項６記載のデジタル信号受信装置。
【請求項８】
前記デジタル信号受信装置は、デジタルインターフェースにより前記ホスト装置と接続可能であり、少なくとも、前記ストリーム信号、前記クロック信号および前記変動情報データを、前記デジタルインターフェースを介して前記ホスト装置に伝送する請求項７記載のデジタル信号受信装置。
【請求項９】
前記変動情報データは、前記受信側ＳＴＣデータおよび前記ＰＣＲデータである請求項８記載のデジタル信号受信装置。
【請求項１０】
前記変動情報データは、前記ＰＣＲデータと前記受信側ＳＴＣデータとの差分値である請求項８記載のデジタル信号受信装置。
【請求項１１】
前記デジタル信号受信装置は電子カードである請求項２記載のデジタル信号受信装置。
【請求項１２】
前記変動検出部は、前記誤差データの値が所定の下限値と上限値とで定められる範囲を外れたとき、前記クロック信号における前記周波数の変動を検出したとする変動検出信号を出力する請求項４記載のデジタル信号受信装置。
【請求項１３】
前記変動検出部は、前記誤差データの絶対値が所定の上限値以上となったとき、前記クロック信号における前記周波数の変動を検出したとする変動検出信号を出力する請求項４記載のデジタル信号受信装置。
【請求項１４】
デジタル通信信号を受信し、前記通信信号に含まれるＰＣＲデータに基づきクロック信号を生成する機能を備えるとともに、前記通信信号を含み、複数のパケットで構成されるストリーム信号およびクロック信号を送出する機能を備えるデジタル信号受信装置とともにデジタル信号受信システムを構成することによりインターフェース部を介して前記デジタル信号受信装置からの前記ストリーム信号およびクロック信号を受信するホスト装置であって、
前記ホスト装置は、
前記クロック信号のクロック数をカウントし、カウントした値を受信側ＳＴＣデータとして出力する受信側ＳＴＣカウンタと、前記受信側ＳＴＣデータと前記ＰＣＲデータとの差分値を誤差データとし、前記誤差データに基づき、所定値以上の周波数の変動を検出する変動検出部と、前記受信側ＳＴＣデータと前記ＰＣＲデータとに基づく変動情報データを前記ホスト装置に送出するとともに、前記変動検出部において、前記所定値以上の周波数の変動が検出されると、前記受信側ＳＴＣカウンタに前記ＰＣＲデータを設定する変動処理部とを備える前記デジタル信号受信装置と接続可能であり、前記デジタル信号受信装置から受け取った前記クロック信号のクロック数をカウントし、カウントした値をホスト側ＳＴＣデータとして出力するホスト側ＳＴＣカウンタと、
前記変動検出部において、前記所定値以上の周波数の変動が検出されると、前記ホスト側ＳＴＣデータと前記変動情報データとに基づき演算した値を補正データとし、前記ホスト側ＳＴＣカウンタに前記補正データを設定することにより、受信側ＳＴＣカウンタとホスト側ＳＴＣカウンタの値を一致させるＳＴＣ補正部と、
を備えるホスト装置。
【請求項１５】
前記変動情報データは、前記インターフェース部から前記ホスト装置に対して送出される前記ストリーム信号に挿入されて送出される請求項１４記載のホスト装置。
【請求項１６】
前記ホスト装置は、前記デジタル信号受信装置に、前記デジタル信号受信装置の各処理を制御するための前記コマンドデータを送信するコマンド送信部と、前記デジタル信号受信装置からの情報を受け取る通知受信部とをさらに備える請求項１４記載のホスト装置。
【請求項１７】
前記ＳＴＣ補正部は、前記変動情報データとして供給された前記ＰＣＲデータおよび前記受信側ＳＴＣデータに基づき、それらの差分値を求め、求められた差分値と前記ホスト側ＳＴＣデータとに所定の演算を行った結果を前記補正データとして、前記ホスト側ＳＴＣカウンタに設定する請求項１４記載のホスト装置。
【請求項１８】
前記ＳＴＣ補正部は、供給された前記変動情報データにおいて、前記ＰＣＲデータから前記受信側ＳＴＣデータを減算した値を求め、求められた差分値と前記ホスト側ＳＴＣデータとを加算した結果を前記補正データとして、前記ホスト側ＳＴＣカウンタに設定する請求項１７記載のホスト装置。
【請求項１９】
前記ＳＴＣ補正部は、前記変動情報データとして供給された前記ＰＣＲデータと前記受信側ＳＴＣデータとの差分値と、前記ホスト側ＳＴＣデータとに所定の演算を行った結果を前記補正データとして、前記ホスト側ＳＴＣカウンタに設定する請求項１４記載のホスト装置。
【請求項２０】
前記ＳＴＣ補正部は、前記変動情報データとして供給された前記ＰＣＲデータから前記受信側ＳＴＣデータを減算した差分値と前記ホスト側ＳＴＣデータとを加算した結果を前記補正データとして、前記ホスト側ＳＴＣカウンタに設定する請求項１９記載のホスト装置。
【請求項２１】
前記ホスト装置は、デジタルインターフェースにより前記デジタル信号受信装置と接続され、少なくとも、前記ストリーム信号、前記クロック信号および前記変動情報データを、前記デジタルインターフェースを介して前記デジタル信号受信装置から受信する請求項１４記載のホスト装置。
【請求項２２】
前記ホスト装置は、電子カードである前記デジタル信号受信装置から、少なくとも、前記ストリーム信号、前記クロック信号および前記変動情報データを受信する請求項２１記載のホスト装置。
【請求項２３】
デジタル通信信号を受信し、前記通信信号に含まれるＰＣＲデータに基づきクロック信号を生成する機能を備えるとともに、前記通信信号を含み、複数のパケットで構成されるストリーム信号およびクロック信号を送出する機能を備えるデジタル信号受信装置とともにデジタル信号受信システムを構成することによりインターフェース部を介して前記デジタル信号受信装置からの前記ストリーム信号およびクロック信号を受信するホスト装置を構成するための半導体集積回路であって、
前記半導体集積回路は、
前記クロック信号のクロック数をカウントし、カウントした値を受信側ＳＴＣデータとして出力する受信側ＳＴＣカウンタと、前記受信側ＳＴＣデータと前記ＰＣＲデータとの差分値を誤差データとし、前記誤差データに基づき、所定値以上の周波数の変動を検出する変動検出部と、前記受信側ＳＴＣデータと前記ＰＣＲデータとに基づく変動情報データを前記ホスト装置に送出するとともに、前記変動検出部において、前記所定値以上の周波数の変動が検出されると、前記受信側ＳＴＣカウンタに前記ＰＣＲデータを設定する変動処理部とを備える前記デジタル信号受信装置と接続可能な前記ホスト装置を構成し、
前記デジタル信号受信装置から受け取った前記クロック信号のクロック数をカウントし、カウントした値をホスト側ＳＴＣデータとして出力するホスト側ＳＴＣカウンタと、
前記変動検出部において、前記所定値以上の周波数の変動が検出されると、前記ホスト側ＳＴＣデータと前記変動情報データとに基づき演算した値を補正データとし、前記ホスト側ＳＴＣカウンタに前記補正データを設定することにより、受信側ＳＴＣカウンタとホスト側ＳＴＣカウンタの値を一致させるＳＴＣ補正部と、
を備える半導体集積回路。